(57)【要約】【課題】スループットを向上させるようにした基地局装置、スケジューリング方法、及び無線通信システムを提供すること。【解決手段】第１及び第２の無線信号を端末装置へ送信して第１及び第２のビームをそれぞれ形成し、前記第２の無線信号に対する前記端末装置のフィードバック情報を含む第３の無線信号を前記端末装置から受信する複数のアンテナと、前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択するスケジューリング部とを備え、前記複数のアンテナは、データを含む第４の無線信号を前記端末装置へ送信し、前記第１又は第２のビームを形成する基地局装置。【選択図】図５
2019118039.tif 000002
【特許請求の範囲】
【請求項１】
第１及び第２の無線信号を端末装置へ送信して第１及び第２のビームをそれぞれ形成し、前記第２の無線信号に対する前記端末装置のフィードバック情報を含む第３の無線信号を前記端末装置から受信する複数のアンテナと、
前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択するスケジューリング部とを備え、
前記複数のアンテナは、データを含む第４の無線信号を前記端末装置へ送信し、前記第１又は第２のビームを形成することを特徴とする基地局装置。
【請求項２】
前記スケジューリング部は、前記フィードバック情報と前記第１のビームで通信を行う端末装置の数とに基づいて、第１の閾値を計算し、前記第１の閾値と前記相関値とに基づいて、前記端末装置を前記第１のビームで通信を行う端末装置として選択することを特徴とする請求項１記載の基地局装置。
【請求項３】
前記スケジューリング部は、前記相関値が前記第１の閾値以上のとき、前記端末装置を前記第１のビームで通信を行う端末装置として選択することを特徴とする請求項２記載の基地局装置。
【請求項４】
前記スケジューリング部は、前記第１のビームで通信を行う端末装置の数が「０」に近いほど、前記第１の閾値を「０」に近い値に設定し、前記第１のビームで通信を行う端末装置の数が最大値に近いほど、前記第１の閾値を「１」に近い値に設定することを特徴とする請求項３記載の基地局装置。
【請求項５】
前記フィードバック情報は、前記端末装置の受信品質であって、
前記スケジューリング部は、前記受信品質が「０」に近いほど、前記第１の閾値を「１」に近い値に設定し、前記端末装置が要求した要求品質に前記受信品質が近いほど、前記第１の閾値を「０」に近い値に設定することを特徴とする請求項３記載の基地局装置。
【請求項６】
前記スケジューリング部は、前記フィードバック情報と、前記第１のビームと同時に前記複数のアンテナで形成されるビームで通信を行う端末装置の数とに基づいて、第２の閾値を計算し、前記第２の閾値と前記相関値とに基づいて、前記端末装置を前記第１のビームと同時に前記第２のビームで通信を行う端末装置として選択することを特徴とする請求項１記載の基地局装置。
【請求項７】
前記スケジューリング部は、前記相関値が前記第２の閾値以下のとき、前記端末装置を前記第１のビームと同時に前記第２のビームで通信を行う端末装置として選択することを特徴とする請求項６記載の基地局装置。
【請求項８】
前記スケジューリング部は、前記端末装置の数が「１」に近いほど、前記第２の閾値を「１」に近い値に設定し、前記端末装置の数が最大値に近いほど、前記第２の閾値を「０」に近い値に設定することを特徴とする請求項６記載の基地局装置。
【請求項９】
前記フィードバック情報は、前記端末装置の受信品質であって、
前記スケジューリング部は、前記受信品質が「０」に近いほど、前記第２の閾値を「１」に近い値に設定し、前記受信品質が最大値に近いほど、前記第２の閾値を「０」に近い値に設定することを特徴とする請求項６記載の基地局装置。
【請求項１０】
前記スケジューリング部は、前記フィードバック情報、前記第１のビームで通信を行う端末装置の数、及び前記複数のアンテナに関する情報に基づいて、前記第１の閾値を計算する請求項２記載の基地局装置。
【請求項１１】
前記スケジューリング部は、前記フィードバック情報、前記第１のビームと同時に前記複数のアンテナで形成されるビームで通信を行う端末装置の数、及び前記複数のアンテナに関する情報に基づいて、前記第２の閾値を計算する請求項６記載の基地局装置。
【請求項１２】
複数のアンテナとスケジューリング部とを備えた基地局装置におけるスケジューリング方法であって、
前記複数のアンテナにより、第１及び第２の無線信号を端末装置へ送信して第１及び第２のビームをそれぞれ形成し、前記第２の無線信号に対する前記端末装置のフィードバック情報を含む第３の無線信号を前記端末装置から受信し、
前記スケジューリング部により、前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択し、
前記複数のアンテナにより、データを含む第４の無線信号を前記端末装置へ送信し、前記第１又は第２のビームを形成する
ことを特徴とするスケジューリング方法。
【請求項１３】
基地局装置と、
端末装置とを備えた無線通信システムであって、
前記基地局装置は、
第１及び第２の無線信号を前記端末装置へ送信して第１及び第２のビームをそれぞれ形成し、前記第２の無線信号に対する前記端末装置のフィードバック情報を含む第３の無線信号を前記端末装置から受信する複数のアンテナと、
前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択するスケジューリング部とを備え、
前記複数のアンテナは、データを含む第４の無線信号を前記端末装置へ送信し、前記第１又は第２のビームを形成し、
前記端末装置は、前記第４の無線信号を受信することを特徴とする無線通信システム。
【発明の詳細な説明】
【技術分野】
【０００１】
本発明は、基地局装置、スケジューリング方法、及び無線通信システムに関する。
【背景技術】
【０００２】
高周波数帯における超広帯域伝送を実現する技術として、Ｍａｓｓｉｖｅ  ＭＩＭＯ（Multi-Input Multi-Output）技術がある。Ｍａｓｓｉｖｅ  ＭＩＭＯでは、無線信号を空間多重することで、基地局装置は複数の端末装置と同時に無線通信を行うことが可能である。
【０００３】
しかし、Ｍａｓｓｉｖｅ  ＭＩＭＯは、ＭＩＭＯと比較して、アンテナ素子が数百から数千へと拡張される。そのため、基地局装置において、プリコーディング処理（又はデジタルプリコーディング処理）を行う場合、アンテナ素子数に比例した次元の行列演算を行うことになり、演算量が膨大となる。
【０００４】
そこで、ＩＥＥＥ（the Institute of Electrical and Electronics Engineers, inc.）では、ハイブリッドＢＦ（Beam Forming）について検討している。ハイブリッドＢＦは、例えば、アナログＢＦ（Beam Forming）とデジタルプリコーディング処理とを組み合わせた技術である。アナログＢＦは、例えば、複数のアンテナ素子の各々に入力されるアナログ信号の位相を制御して、ビームの指向性を制御する技術のことである。また、デジタルプリコーディング処理とは、例えば、ベースバンド帯域の送信ストリームの各々に対して、重み付けを行う技術である。
【０００５】
両者を組み合わせることで、例えば、アナログＢＦの重み付けとプリコーディング行列とを最適化したり、コンバータやベースバンド処理回路の数も最適化したりすることが可能となる。
【０００６】
しかし、例えば、アナログＢＦによって形成されたある１つのビームに着目した場合、そのビームを利用して基地局装置と無線通信を行う端末数が所定数よりも少ない場合がある。このような場合、端末数が所定数よりも多い場合と比較して、無線リソースの利用率が低下し、スループットが低下する場合がある。
【０００７】
そこで、ミニスロットを利用したアナログビームフォーミング技術がある。ミニスロットは、例えば、シンボル単位でスケジューリングを行う技術である。例えば、上記のような所定数よりも少ない端末数がスケジューリングされた場合、ＬＴＥ（Long Term Evolution）では、サブフレーム単位でスケジューリングが行われるため、少なくとも、サブフレーム時間（１４シンボル）そのような状態が続く。しかし、ミニスロットを利用したアナログビームフォーミング技術の場合、シンボル単位でスケジューリングが行われるため、所定数よりも少ない端末数がスケジューリングされた場合でも、そのような状態は、１〜数シンボル時間で済む。このように、スケジューリングをシンボル単位とすることで、例えば、無線リソースの利用率を向上させ、スループットの低下を抑制することが可能となる。
【先行技術文献】
【非特許文献】
【０００８】
【非特許文献１】“Joint Fixed Beamforming and Eigenmode Precoding for Super High Bit Rate Massive MIMO Systems Using Higher Frequency Bands”, T. Obara, S. Suyama, J. Shen, and Y. Okumura, NTT DOCOMO, INC, Proc. 2014 IEEE 25th Annual International Symposium on Personal, Indoor, and Mobile Radio Communication, Sep. 2014.
【非特許文献２】R1-1700629, “Mini-slot for analog beam-forming”,  NTT DOCOMO, INC, 16th-20th January 2017.
【発明の概要】
【発明が解決しようとする課題】
【０００９】
しかしながら、ミニスロットを利用したアナログビームフォーミング技術の場合、基地局装置では、端末装置（又はユーザ）に対してシンボル単位で割り当てを行う。そのため、基地局装置は、シンボル単位でＤＭＲＳ（Demodulation Reference Signal：復調用参照信号）を挿入する。従って、スロット単位でＤＭＲＳが挿入される場合と比較して、ミニスロットを利用したアナログビームフォーミング技術は、シンボル単位でＤＭＲＳが挿入されるため、データ用の無線リソースを割り当てる領域が少なくなり、スループットが低下する場合がある。
【００１０】
そこで、一つの側面では、スループットを向上させるようにした基地局装置、スケジューリング方法、及び無線通信システムを提供することにある。
【課題を解決するための手段】
【００１１】
一つの態様では、基地局装置において、第１及び第２の無線信号を端末装置へ送信して第１及び第２のビームをそれぞれ形成し、前記第２の無線信号に対する前記端末装置のフィードバック情報を含む第３の無線信号を前記端末装置から受信する複数のアンテナと、前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択するスケジューリング部とを備え、前記複数のアンテナは、データを含む第４の無線信号を前記端末装置へ送信し、前記第１又は第２のビームを形成する。
【発明の効果】
【００１２】
一つの側面では、スループットを向上させることが可能となる。
【図面の簡単な説明】
【００１３】
【図１】図１は無線通信システムの構成例を表す図である。
【図２】図２は基地局装置の構成例を表す図である。
【図３】図３は端末装置の構成例を表す図である。
【図４】図４（Ａ）は基地局装置、図４（Ｂ）は端末装置のハードウェア構成例を夫々表す図である。
【図５】図５は基地局装置の動作例を表すフローチャートである。
【図６】図６は基地局装置の動作例を表すフローチャートである。
【図７】図７はアナログビームと端末との関係例を表す図である。
【図８】図８（Ａ）は係数ｗＮＵＥ，ｍ、図８（Ｂ）は係数ｗＣＱＩｕの例を夫々表す図である。
【図９】図９（Ａ）はアナログビーム＃ｍ，＃ｎと閾値ΓＡ，ｕとの関係例、図９（Ｂ）はスケジューリング結果の例を夫々表す図である。
【図１０】図１０（Ａ）〜図１０（Ｃ）はデジタルビームの例を表す図である。
【図１１】図１１は基地局装置の動作例を表すフローチャートである。
【図１２】図１２は基地局装置の動作例を表すフローチャートである。
【図１３】図１３（Ａ）から図１３（Ｃ）はデジタルビームの例を表す図である。
【図１４】図１４（Ａ）と図１４（Ｂ）はデジタルビーム＃ｍ，＃ｎの例を表す図である。
【図１５】図１５（Ａ）は係数ｗｋ、図１５（Ｂ）は係数ｗＤＳｕの例を夫々表す図である。
【図１６】図１６はデジタルビーム＃ｍ，＃ｎと閾値ΓＤ，ｕとの関係例を表す図である。
【図１７】図１７は係数ｗａｎｔの例を表す図である。
【図１８】図１８は無線通信システムの構成例を表す図である。
【発明を実施するための形態】
【００１４】
以下、本実施の形態について図面を参照して詳細に説明する。本明細書における課題及び実施例は一例であり、本願の権利範囲を限定するものではない。そして、各実施の形態は、処理内容を矛盾させない範囲で適宜組み合わせることが可能である。また、本明細書で使用している用語や記載した技術的内容は、ＩＥＥＥや３ＧＰＰ（Third Generation Partnership Project）などにより、仕様化された仕様書に記載された用語や技術的内容が適宜用いられてもよい。
【００１５】
［第１の実施の形態］
＜無線通信システムの構成例＞
図１は、本第１の実施の形態における無線通信システム１０の構成例を表す図である。
【００１６】
無線通信システム１０は、基地局装置（以下、「基地局」と称する場合がある。）１００と、複数の端末装置（以下、「端末」と称する場合がある。）２００−１〜２００−ＮＵＥとを備える。
【００１７】
基地局１００は、例えば、複数の端末２００−１〜２００−ＮＵＥと無線通信を行う無線通信装置である。基地局１００は、カバーエリア（又はサービス提供可能範囲）に在圏する複数の端末２００−１〜２００−ＮＵＥと無線通信を行うことで、端末２００−１〜２００−ＮＵＥに対して種々のサービスを提供する。この際、基地局１００は、無線信号を端末２００−１〜２００−ＮＵＥへ送信することで複数のアナログビーム＃１〜＃Ｎｂｅａｍを形成し、ユーザデータなどを送信する。提供サービスとしては、例えば、通話サービスやＷｅｂ閲覧サービスなどがある。
【００１８】
端末２００−１〜２００−ＮＵＥは、例えば、スマートフォン、フィーチャーフォン、タブレット端末、パーソナルコンピュータ、ゲーム装置など、無線通信可能な無線通信装置である。端末２００−１，２００−２は、基地局１００と無線通信を行い、基地局１００を介して、様々なサービスの提供を受けることが可能である。
【００１９】
なお、図１の例では、１つの基地局１００に対して、ＮＵＥ台の端末２００−１〜２００−ＮＵＥと無線通信を行っている例を示しているが、端末は複数台あればよく、例えば、ＮＵＥ＝２でもよい。また、アナログビーム＃１〜＃Ｎｂｅａｍも、複数のアナログビームであればよく、例えば、Ｎｂｅａｍ＝２でもよい。
【００２０】
以下においては、例えば、端末２００−１〜２００−ＮＵＥを端末２００と称する場合がある。
【００２１】
＜基地局装置の構成例＞
図２は、基地局１００の構成例を表す図である。
【００２２】
基地局１００は、アンテナ（又はアンテナ素子。以下「アンテナ」と称する場合がある。）１０１−１〜１０１−ＮＡＮＴ（ＡＮＴは２以上の整数）、アナログＢＦ部１０２、ＲＦ（Radio Frequency）部１０３−１〜１０３−ＮＲＦ、チャネル推定部１０４を備える。また、基地局１００は、スケジューリング部１０５、ＩＦ部１０６、ユーザデータ生成部１０７、デジタルプリコーディング部１０８、参照信号生成部１０９、チャネル多重部１１０、及びＲＦ部１１１−１〜１１１−ＮＲＦを備える。
【００２３】
アンテナ１０１−１〜１０１−ＮＡＮＴは、アナログＢＦ部１０２から出力された無線信号を受け取り、受け取った無線信号を端末２００へ送信する。また、アンテナ１０１−１〜１０１−ＮＡＮＴは、端末２００から送信された無線信号を受信し、受信した無線信号をアナログＢＦ部１０２へ出力する。
【００２４】
アナログＢＦ部１０２は、ＲＦ部１１１−１〜１１１−ＮＲＦから各々出力された無線信号に対して、スケジューリング部１０５から受け取った重み付け値（又は重み係数）に基づいて、重み付けを行う。アナログＢＦ部１０２は、重み付けされた無線信号を、アンテナ１０１−１〜１０１−ＮＡＮＴへ出力する。重み付け値は、例えば、ビームの（主軸）方向を定め、複素関数などで表されてもよい。従って、アナログＢＦ部１０２により重み付けられた各無線信号は、アンテナ１０１−１〜１０１−ＮＡＮＴから送信されると、ある一定の方向へ向けられた（送信）アナログビーム＃１〜＃Ｎｂｅａｍを形成することが可能となる。
【００２５】
また、アナログＢＦ部１０２は、アンテナ１０１−１〜１０１−ＮＡＮＴから出力された無線信号を、ＲＦ部１０３−１〜１０３−ＮＲＦへそれぞれ出力する。アナログＢＦ部１０２は、スケジューリング部１０５から受け取った重み付け値に基づいて、受信した無線信号を重み付けする。この場合も、アンテナ１０１−１〜１０１−ＮＡＮＴで受信した無線信号が、重み付けによって、ある一定の方向に向けられた（受信）アナログビーム＃１〜＃Ｎｂｅａｍを形成することが可能となる。
【００２６】
このような重み付けを行うため、アナログＢＦ部１０２は、例えば、アンテナ１０１−１〜１０１−ＮＡＮＴ毎に、位相制御回路を備えてもよい。位相制御回路では、例えば、スケジューリング部１０５から出力された重み付け値に従って、ＲＦ部１１１−１〜１１１−ＮＲＦから出力された各無線信号や、アンテナ１０１−１〜１０１−ＮＡＮＴから受け取った各無線信号に対して位相を制御する。
【００２７】
なお、アナログビーム＃１〜＃Ｎｂｅａｍは、例えば、１又は複数の無線信号の束である。アナログＢＦ部１０２により、複数のアンテナ１０１−１〜１０１−ＮＡＮＴからは位相が異なる無線信号が送信される。基地局１００は、位相が異なる無線信号を複数のアンテナ１０１−１〜１０１−ＮＡＮＴから送信することで、ある方向に位相制御された１又は複数のアナログビーム＃１〜＃Ｎｂｅａｍを形成することが可能となる。
【００２８】
以下では、無線信号の送信によってアナログビーム＃１〜＃Ｎｂｅａｍを形成することと、アナログビーム＃１〜＃Ｎｂｅａｍを利用して無線信号を送信することとを、区別しないで用いる場合がある。
【００２９】
また、アナログビーム＃１〜＃Ｎｂｅａｍは、例えば、周波数変換後の無線信号に対して重み付けられた無線信号により形成されるビームである。
【００３０】
ＲＦ部１０３−１〜１０３−ＮＲＦは、アナログＢＦ部１０２から受け取った無線信号に対して、周波数変換処理などを行い、ベースバンド帯域のベースバンド信号へ変換（又はダウンコンバート）する。ＲＦ部１０３−１〜１０３−ＮＲＦは、変換後のベースバンド信号をチャネル推定部１０４へ出力する。
【００３１】
チャネル推定部１０４は、例えば、ベースバンド信号のうち上り参照信号に基づいてチャネル推定値を算出し、算出したチャネル推定値を利用して、他のベースバンド信号にチャネル補償による受信処理を行う。チャネル推定部１０４は、受信処理などにより、端末２００から送信されたフィードバック信号をベースバンド信号から抽出することができる。チャネル推定部１０４は、抽出したフィードバック信号をスケジューリング部１０５へ出力する。
【００３２】
なお、チャネル推定部１０４は、受信処理などにより、端末２００から送信されたユーザデータなどを抽出してもよく、その場合、抽出したユーザデータなどをＩＦ部１０６へ出力してもよい。
【００３３】
スケジューリング部１０５は、フィードバック信号からフィードバック情報と候補ビーム情報とを抽出する。そして、スケジューリング部１０５は、例えば、第１のビームに対する第２のビームの相関値と、第１又は第２のビームに対する端末２００のフィードバック情報とに基づいて、第２のビームを最適とする端末２００を第１のビームで通信を行う端末として選択するか否かを決定する。すなわち、スケジューリング部１０５は、第２のビームを最適なビームとする端末について、相関値とフィードバック情報に基づいて、第１のビームで通信を行う端末として選択するか否かを決定する。詳細は、動作例で説明する。スケジューリング部１０５は、スケジューリングした結果を示す信号を、ユーザデータ生成部１０７、デジタルプリコーディング部１０８、チャネル多重部１１０、及びアナログＢＦ部１０２へ出力する。
【００３４】
具体的には、スケジューリング部１０５は、例えば、スケジューリングにより割り当てた端末２００（又はユーザ）に関する情報を、ユーザデータ生成部１０７へ出力する。また、スケジューリング部１０５は、例えば、フィードバック情報のうち、ＣＳＩ（Channel State Information）に含まれるＰＭＩ（Precoding Matrix Indicator）を、デジタルプリコーディング部１０８へ出力する。さらに、スケジューリング部１０５は、スケジューリング結果を、チャネル多重部１１０へ出力する。さらに、スケジューリング部１０５は、例えば、アナログビームに関する重み付け値を、アナログＢＦ部１０２へ出力する。
【００３５】
ＩＦ部１０６は、例えば、他の基地局やノード装置から送信されたパケットデータを受信し、受信したパケットデータから、端末２００宛のユーザデータなどを抽出し、抽出したユーザデータをユーザデータ生成部１０７へ出力する。また、ＩＦ部１０６は、例えば、チャネル推定部１０４からユーザデータなどを受け取り、受け取ったユーザデータなどに対して、パケットデータを生成し、他の基地局や他のノード装置へ送信する。
【００３６】
ユーザデータ生成部１０７は、例えば、ＩＦ部１０６から出力されたユーザデータのうち、スケジューリング部１０５から出力されたユーザに関する情報に従って、そのユーザに対応するユーザデータを、デジタルプリコーディング部１０８へ出力する。ユーザデータ生成部１０７は、１又は複数のユーザデータを、デジタルプリコーディング部１０８へ出力する。
【００３７】
デジタルプリコーディング部１０８は、例えば、スケジューリング部１０５から出力されたＰＭＩに従って、ユーザデータに対して重み付けを行う。このように、ベースバンド帯域におけるユーザデータ（又はデータストリーム）に対して重み付け処理を行うことを、例えば、デジタルプリコーディング（処理）と称する場合がある。デジタルプリコーディング部１０８は、重み付けしたユーザデータを、チャネル多重部１１０へ出力する。
【００３８】
参照信号生成部１０９は、参照信号を生成し、生成した参照信号をチャネル多重部１１０へ出力する。参照信号としては、例えば、ＣＳＩ−ＲＳ（Channel State Information-Reference Signal）やＤＭＲＳなどがある。
【００３９】
チャネル多重部１１０は、例えば、スケジューリング部１０５から出力されたスケジューリング結果に従って、デジタルプリコーディング部１０８から出力されたユーザデータと、参照信号生成部１０９から出力された参照信号とを、各チャネルに多重化する。チャネル多重部１１０は、多重化した多重化信号を、ＲＦ部１１１−１〜１１１−ＮＲＦへ出力する。
【００４０】
ＲＦ部１１１−１〜１１１−ＮＲＦは、例えば、周波数変換処理などにより、ベースバンド帯域の多重化信号を、無線帯域の無線信号へ変換（又はアップコンバート）する。ＲＦ部１１１−１〜１１１−ＮＲＦは、変換後の無線信号をアナログＢＦ部１０２へ出力する。
【００４１】
＜端末装置の構成例＞
図３は端末２００の構成例を表す図である。
【００４２】
端末２００は、アンテナ２０１、ＲＦ部２０２，２０５、チャネル推定部２０３、及びフィードバック信号生成部２０４を備える。
【００４３】
アンテナ２０１は、基地局１００から送信された無線信号を受信し、受信した無線信号をＲＦ部２０２へ出力する。また、アンテナ２０１は、ＲＦ部２０５から出力された無線信号を、基地局１００へ送信する。
【００４４】
ＲＦ部２０２は、アンテナ２０１から受け取った無線信号に対して、例えば、周波数変換し処理などを施し、ベースバンド帯域のベースバンド信号へ変換（又はダウンコンバート）する。ＲＦ部２０２は、変換後のベースバンド信号をチャネル推定部２０３へ出力する。
【００４５】
チャネル推定部２０３は、ベースバンド信号のうち参照信号に基づいてチャネル推定値を算出し、算出したチャネル推定値を用いて、基地局１００と端末２００との間の通信品質を測定する。通信品質は、例えば、ＣＱＩ（Channel Quality Indicator）として表されてよく、参照信号に対する受信電力値や、ＳＮＲ（Signal Noise Ratio）やＳＩＮＲ（Signal to Interference plus Noise Ratio）でもよい。以下では、通信品質として、ＣＱＩを例にして説明する。
【００４６】
また、チャネル推定部２０３は、例えば、測定した通信品質に基づいて、所望のプリコーディング行列を示すＰＭＩや、所望のストリーム数を示すＲＩ（Rank Indicator）を算出する。チャネル推定部２０３は、例えば、ＣＱＩとＰＭＩ、及びＲＩを含むＣＳＩ（Channel State Information）を、フィードバック情報として、フィードバック信号生成部２０４へ出力する。
【００４７】
さらに、チャネル推定部２０３は、基地局１００で形成される複数のビームの中から最適なビームを示す候補ビーム情報を算出する。チャネル推定部２０３は、例えば、基地局１００で形成されたビーム毎に、そのビームを利用して送信された参照信号に基づいてその通信品質を測定し、測定した通信品質に基づいて、最適なビームを選択してもよい。参照信号が送信される送信周波数の範囲としては、例えば、基地局１００におけるスケジューリング可能な範囲とすることができる。例えば、図９（Ｂ）はスケジューリング結果の例を示すが、参照信号は、端末２００−１〜端末２００−８が割り当てられる周波数範囲内にあればよい。チャネル推定部２０３が選択した最適なビームのことを、例えば、候補ビームと称する場合がある。例えば、図１の例では、端末２００−１の候補ビームはアナログビーム＃１となり、端末２００−２の候補ビームはアナログビーム＃２となる。図２に戻り、チャネル推定部２０３は、選択（又は算出）した候補ビーム情報をフィードバック信号生成部２０４へ出力する。
【００４８】
フィードバック信号生成部２０４は、フィードバック情報と候補ビーム情報とを含むフィードバック信号を生成し、生成したフィードバック信号をＲＦ部２０５へ出力する。
【００４９】
ＲＦ部２０５は、フィードバック信号に対して、例えば、周波数変換処理などを施して、ベースバンド帯域のフィードバック信号を、無線帯域の無線信号へ変換（アップコンバート）する。ＲＦ部２０５は、変換後の無線信号をアンテナ２０１へ出力する。なお、ＲＦ部２０５は、例えば、フィードバック信号に対応する無線信号を、予め決められたＰＵＣＣＨ（Physical Uplink Control Channel）やＰＵＳＣＨ（Physical Uplink Shared Channel）を利用して送信する。
【００５０】
＜基地局と端末のハードウェア構成例＞
図４（Ａ）は、基地局１００のハードウェア構成例を表す図である。
【００５１】
基地局１００は、更に、プロセッサ１２０、無線処理回路１２１、ＬＳＩ１２２、ＮＩＦ（Network Interface）回路１２３、記憶装置１２４を備える。
【００５２】
プロセッサ１２０は、例えば、記憶装置１２４に記憶されたプログラムを読み出し、読み出したプログラムを実行することで、スケジューリング部１０５、ユーザデータ生成部１０７、及びデジタルプリコーディング部１０８の機能を実現することができる。プロセッサ１２０は、例えば、スケジューリング部１０５、ユーザデータ生成部１０７、及びデジタルプリコーディング部１０８に対応する。
【００５３】
また、ＬＳＩ１２２は、例えば、プロセッサ１２０からの指示に従って、チャネル推定部１０４、参照信号生成部１０９、及びチャネル多重部１１０の機能を実現できる。ＬＳＩ１２２は、例えば、チャネル推定部１０４、参照信号生成部１０９、及びチャネル多重部１１０に対応する。
【００５４】
さらに、無線処理回路１２１は、例えば、アナログＢＦ部１０２、ＲＦ部１０３−１〜１０３−ＮＲＦ、及びＲＦ部１１１−１〜１１１−ＮＲＦに対応する。さらに、ＮＩＦ回路１２３は、例えば、ＩＦ部１０６に対応する。
【００５５】
図４（Ｂ）は、端末２００のハードウェア構成例を表す図である。
【００５６】
端末２００は、更に、プロセッサ２２０、無線処理回路２２１、ＬＳＩ２２２、記憶装置２２４を備える。
【００５７】
プロセッサ２２０は、例えば、記憶装置２２４に記憶されたプログラムを読み出し、読み出したプログラムを実行することで、フィードバック信号生成部２０４の機能を実現する。プロセッサ２２０は、例えば、フィードバック信号生成部２０４に対応する。
【００５８】
また、ＬＳＩ２２２は、例えば、プロセッサ２２０からの指示に従って、チャネル推定部２０３の機能を実現する。ＬＳＩ２２２は、例えば、チャネル推定部２０３に対応する。
【００５９】
さらに、無線処理回路２２１は、例えば、ＲＦ部２０２，２０５に対応する。
【００６０】
なお、プロセッサ１２０，２２０は、例えば、ＣＰＵ（Central Processing Unit）やＭＰＵ（Micro Processing Unit）、ＤＳＰ（Digital Processing Unit）、又はＦＰＧＡ（Field Programmable Gate Array）などの制御部やコントローラなどであってもよい。
【００６１】
また、記憶装置１２４，２２４は、ＲＯＭ（Read Only Memory）やＲＡＭ（Random Access Memory）、ＨＤＤ（Hard Disk Drive）、或いはこれらの組み合わせ、であってもよい。
【００６２】
＜動作例＞
図５は、基地局１００における動作例を表すフローチャートである。また、図７は、アナログビーム＃１〜＃５（Ｎｂｅａｍ＝５）と端末２００−１〜２００−９（ＮＵＥ＝９）との関係例を表す図である。図７を利用して、図５を説明する。
【００６３】
ただし、基地局１００は、図５に示す動作を行う前に、各端末２００−１〜２００−９から候補ビーム情報とフィードバック情報とを取得しているものとする。図７の例では、端末２００−１，２００−２の候補ビームはアナログビーム＃２、端末２００−３〜２００−５の候補ビームはアナログビーム＃１となる。また、端末２００−６，２００−７の候補ビームは、アナログビーム＃３、端末２００−８，２００−９の候補ビームはアナログビーム＃４となる。
【００６４】
また、基地局１００は、ノード装置から端末２００−１〜２００−９宛のデータを受信しているものとする。
【００６５】
図５に戻り、基地局１００は、処理を開始すると（Ｓ１０）、周波数多重可能な端末数（以下、「周波数多重端末数」と称する場合がある。）ｇを、ｇ＝１に設定する（Ｓ１１）。周波数多重端末数ｇは、例えば、１回のスケジューリングにより、１つのアナログビームに割り当て可能な端末数を示す。また、Ｇは、例えば、周波数多重端末数ｇの最大値を示す。以降の処理では、スケジューリング部１０５は、例えば、ＮＵＥ台の端末２００から、最大Ｇ台の端末２００を選択する。
【００６６】
図９（Ｂ）は、本動作例で最終的にアナログビーム＃２に対するスケジューリング結果を表す図である。図９（Ｂ）では、周波数多重端末数ｇの最大値Ｇ＝４の例を表している。基地局１００は、周波数多重端末数ｇを「１」から開始し、周波数多重端末数ｇを順次インクリメントしながら、各端末２００−１〜２００−９に対してスケジューリングを行うことになる。本処理（Ｓ１０）においては、例えば、スケジューリング部１０５は、周波数多重端末数ｇ＝１に設定する。
【００６７】
なお、基地局１００は、最大値Ｇを本処理（Ｓ１１）で計算してもよい。例えば、スケジューリング部１０５は、各アナログビーム＃１〜＃４に対して、１回のスケジューリングで割り当て可能な無線リソース量と、各端末２００−１〜２００−９宛のデータ量とに基づいて、最大値Ｇを計算してもよい。
【００６８】
図５に戻り、次に、基地局１００は、未割り当て端末２００に着目する（Ｓ１２）。例えば、図７の例では、スケジューリング部１０５は、端末２００−１に着目する。以下では、Ｓ１２で着目した端末を、着目端末２００と称する場合がある。着目端末２００は、例えば、後述するＳ１８の処理で選択された端末以外の端末のことである。
【００６９】
図５に戻り、次に、基地局１００は、スケジューリング対象スロットが、ＳＳＢ（Synchronization Signal Block：同期信号ブロック）や、ＣＳＩ−ＲＳなどを含まないでＤＭＲＳとデータとを含むスロットか否かを判定する（Ｓ１３）。
【００７０】
スロットとしては、例えば、ＳＳＢやＣＳＩ−ＲＳを含むスロットと、ＳＳＢ、ＣＳＩ−ＲＳを含まないで、ＤＭＲＳとデータとを含むスロットとがある。前者をパターン（１）、後者をパターン（２）と称する場合がある。また、前者を「ＳＳＢを含むスロット」、後者を「ＳＳＢを含まないスロット」、とそれぞれ称する場合がある。
【００７１】
例えば、スケジューリング部１０５は、スケジューリング対象スロットがパターン（１）のときは、Ｓ１３で「Ｎｏ」と判定し、パターン（２）のときは、Ｓ１３で「Ｙｅｓ」と判定する。
【００７２】
基地局１００は、スケジューリング対象スロットが、パターン（２）のとき（Ｓ１３でＹｅｓ）、周波数多重端末数ｇ＝１か否かを判定する（Ｓ１４）。
【００７３】
基地局１００は、周波数多重端末数ｇ＝１のとき（Ｓ１４でＹｅｓ）、選択メトリック値を計算する（Ｓ１６）。
【００７４】
選択メトリックとは、例えば、複数の端末２００からスケジューリング対象となる端末を選択する規範を表す。選択メトリックの例としては、例えば、プロポーショナルフェア（ＰＦ：Proportional Fair）規範（以下、「ＰＦ規範」と称する場合がある。）がある。例えば、スケジューリング部１０５は、各端末２００−１〜２００−９からフィードバックされたフィードバック情報（例えばＣＱＩ）に基づいて、選択メトリック値を計算してもよい。具体的には、スケジューリング部１０５は、例えば、受信したＣＱＩから瞬間受信電力を算出し、瞬間受信電力と平均受信電力との比を、選択メトリック値として計算してもよい。
【００７５】
選択メトリックとしては、他にも、ラウンドロビン規範がある。ラウンドロビン規範は、例えば、「１」から順番に端末２００に無線リソースを割り当てる規範である。この場合、スケジューリング部１０５は、本処理（Ｓ１６）において、端末２００−１〜２００−９を順番に選択する。
【００７６】
例えば、スケジューリング部１０５は、ＰＦ規範などを用いて、着目端末２００−１の選択メトリック値を計算する。
【００７７】
次に、基地局１００は、Ｓ１２からＳ１６の処理を完了していない端末があるか否かを判定する（Ｓ１７）。Ｓ１２からＳ１６までの処理を、以下では、「第１の処理」と称する場合がある。基地局１００は、ｇ＝１のとき、スケジューリング対象となる全ての端末２００−１〜２００−９に対して、Ｓ１２からＳ１６の処理が完了している場合、第１の処理を完了している（Ｓ１７でＮｏ）と判定し、そうでない場合は、第１の処理を完了していない（Ｓ１７でＹｅｓ）と判定する。
【００７８】
図７の例では、例えば、スケジューリング部１０５は、着目端末２００−１について選択メトリック値を計算し、それ以外の端末２００−２〜２００−９について、第１の処理を行っていないため、Ｓ１７でＹｅｓと判定する。この場合、基地局１００は、端末２００−２〜２００−９のうち、いずれかの端末２００を着目端末として選択する（Ｓ１２）。ここでは、例えば、基地局１００は、端末２００−２を着目端末として選択する。以降、基地局１００は、例えば、以下の処理を行う。
【００７９】
すなわち、基地局１００は、スケジューリング対象スロットは、パターン（２）で、端末２００−１を着目端末とした場合と変更なく（Ｓ１３でＹｅｓ）、ｇ＝１も変更なく（Ｓ１４でＹｅｓ）、端末２００−２の選択メトリック値を計算する（Ｓ１６）。基地局１００は、再び、第１の処理の完了の有無を確認し、端末２００−３〜２００−９が第１の処理を完了してない端末として存在するため（Ｓ１７でＹｅｓ）、基地局１００は、例えば、端末２００−３に着目し、選択メトリック値を計算する（Ｓ１３でＹｅｓ，Ｓ１４でＹｅｓ，Ｓ１６）。以降、基地局１００は、端末２００−４〜２００−９までの選択メトリック値を計算する（Ｓ１３でＹｅｓ，Ｓ１４でＹｅｓ，Ｓ１６）。
【００８０】
基地局１００は、第１の処理を完了していない端末がないと判定したとき（Ｓ１７でＮｏ）、選択メトリック値に基づいて、端末２００を選択する（Ｓ１８）。例えば、スケジューリング部１０５は、ｇ＝１において、全端末２００−１〜２００−９について、第１の処理を完了したときは、第１の処理を完了していない端末がないと判定し、選択メトリック値に基づいて、端末２００を選択する。図７の例では、スケジューリング部１０５は、端末２００−１を選択する。
【００８１】
この選択により、スケジューリング部１０５は、端末２００−１に対して、アナログビーム＃１に対する無線リソースを割り当てることになる。従って、図９（Ｂ）に示すように、ｇ＝１の端末２００として、端末２００−１に対して、アナログビーム＃２に対する無線リソースが割り当てられる。
【００８２】
図５に戻り、次に、基地局１００は、スケジューリング対象の端末２００が存在するか否かを判定する（Ｓ１９）。例えば、スケジューリング部１０５は、Ｓ１８で選択した端末２００に無線リソースを割り当てたとき、残りの無線リソース量が存在するか否かにより判定してもよい。
【００８３】
基地局１００は、スケジューリング対象の端末２００が存在するとき（Ｓ１９でＹｅｓ）、周波数多重端末数ｇをインクリメントし、インクリメントした周波数多重端末数ｇが最大値Ｇを超えるか否かを判定する（Ｓ２０）。例えば、スケジューリング部１０５は、インクリメントした周波数多重端末数ｇと、Ｓ１１で計算した最大値Ｇとを比較して、前者が後者を超えるか否かにより計算する。図７の例では、スケジューリング部１０５は、ｇ＝２とし、最大値Ｇ＝４を超えないため、Ｓ２０で「Ｎｏ」と判定して、Ｓ１２へ移行する。
【００８４】
以降では、ｇ＝２の例で、図５を説明する。
【００８５】
Ｓ１２において、例えば、スケジューリング部１０５は、未割り当て端末として、端末２００−２に着目し（Ｓ１２）、スケジューリング対象スロットはパターン（２）か否かを判定する（Ｓ１３）。ｇ＝２以降の場合は、スケジューリング対象スロットがパターン（１）（Ｓ１３でＮｏ）でもパターン（２）（Ｓ１４でＮｏと判定される）でも、いずれも、Ｓ１５へ移行し、スケジューリング部１０５は、着目端末２００−２がスケジューリング対象端末か否かの判定を行う。
【００８６】
ただし、スケジューリング対象スロットがパターン（１）のときは（Ｓ１３でＮｏ）、このスロットを用いて形成されるアナログビームをアナログビーム＃ａとする。また、スケジューリング対象スロットがパターン（２）のときは（Ｓ１３でＹｅｓ）、ｇ＝１で選択されたアナログビームをアナログビーム＃ｂとする。基地局１００は、アナログビーム＃ａ又は＃ｂを用いて、判定処理（Ｓ１５）を行う。
【００８７】
なお、判定処理（Ｓ１５）では、スケジューリング対象スロットがパターン（２）のときで（Ｓ１３でＹｅｓ）、ｇ＝１で選択されたアナログビーム＃ｂを例にして説明する。アナログビーム＃ａの場合における判定処理は、アナログビーム＃ｂの例を説明した後で説明する。
【００８８】
図７の例では、ｇ＝１の例として、基地局１００は、端末２００−１を、スケジューリング対象の端末２００として選択した（Ｓ１８）。図７の例において、端末２００−１の候補ビームは、アナログビーム＃２である。従って、基地局１００は、アナログビーム＃２を、アナログビーム＃ｂとして、判定処理を行う。判定処理では、例えば、基地局１００は、未割り当て端末２００−２〜２００−９の各々を、アナログビーム＃ｂ（ここではアナログビーム＃２）を用いて通信を行う対象として選択してもよいか否かを判定することになる。
【００８９】
図６は、判定処理（Ｓ１５）の例を表すフローチャートである。
【００９０】
基地局１００は、判定処理において、相関値ρＡ，ｍ，ｎを計算する（Ｓ１５１）。ここで、基地局１００は、アナログビーム＃ｍとアナログビーム＃ｎを決定し、この２つのアナログビーム＃ｍ，＃ｎに対して相関値ρＡ，ｍ，ｎを計算する。
【００９１】
アナログビーム＃ｍは、例えば、スケジューリング対象スロットで使用するアナログビームであり、上述したアナログビーム＃ａ又は＃ｂが対応する。例えば、図７の例では、ｇ＝１で選択した端末２００−１の候補ビームがアナログビーム＃２となるため、アナログビーム＃２が、アナログビーム＃ｍとなる。
【００９２】
他方、アナログビーム＃ｎは、例えば、未割り当ての端末２００（又は着目端末２００）の候補ビームに対応するアナログビームである。例えば、図７の例では、着目端末２００−２〜２００−９の候補ビームであるアナログビーム＃１，＃２，＃３，＃４がアナログビーム＃ｎとなり得る。
【００９３】
図７の例で、着目端末２００−２の場合、アナログビーム＃ｍ＝アナログビーム＃２となり、着目端末２００−２の候補ビームはアナログビーム＃２のため、着目端末２００−２の場合は、アナログビーム＃ｎ＝アナログビーム＃２となる。
【００９４】
そして、基地局１００は、例えば、以下の式を用いて、アナログビーム＃ｍに対するアナログビーム＃ｎの相関値ρＡ，ｍ，ｎを計算する。
【００９５】
【数１】
2019118039.tif 000003
【００９６】
式（１）において、ｗｍは、アンテナ１０１−１〜１０１−ＮＡＮＴでアナログビーム＃ｍを形成する際に、スケジューリング部１０５がアナログＢＦ部１０２へ出力する、無線信号に適用する重みベクトルである。また、ｗｎは、アンテナ１０１−１〜１０１−ＮＡＮＴでアナログビーム＃ｎを形成する際に、スケジューリング部１０５がアナログＢＦ部１０２へ出力する、無線信号に適用する重みベクトルである。
【００９７】
式（１）の右辺の分子の第２項は、重みベクトルｗｎのエルミート転置行列を表し、重みベクトルｗｎそのものとして表すことができる。従って、式（１）の右辺は、内積の計算を行うことで、｜ｃｏｓθ｜２となる。ここで、θは、例えば、２つの重みベクトルｗｍ，ｗｎによりなす角度を表している。なお、２つの重みベクトルｗｍ，ｗｎを、複素ベクトルを用いて表現してもよい。
【００９８】
従って、相関値ρＡ，ｍ，ｎは、例えば、アナログビーム＃ｍと、着目端末２００の候補ビームであるアナログビーム＃ｎとが、どれだけ近い（又は離れた）角度となっているかの指標を表している、とも言える。
【００９９】
スケジューリング部１０５では、スケジューリング対象スロットがパターン（２）のときは（図５のＳ１３でＹｅｓ）、ｇ＝１で選択されたアナログビームをアナログビーム＃ｂ＝アナログビーム＃ｍ（又はｍ＝ｂ）としている。図７の例では、アナログビーム＃ｍは、アナログビーム＃２である。そのため、スケジューリング部１０５では、アナログビーム＃２と、着目端末２００−２の候補ビームであるアナログビーム＃２（＝アナログビーム＃ｎ）との相関値ρＡ，ｍ，ｎを計算する。
【０１００】
他方、スケジューリング部１０５では、スケジューリング対象スロットがパターン（１）のときは（図５のＳ１３でＮｏ）、パターン（１）により形成されたアナログビームをアナログビーム＃ａとし、ｍ＝ａとして相関値ρＡ，ｍ，ｎを計算する。この場合の詳細は後述する。
【０１０１】
スケジューリング部１０５は、例えば、内部メモリなどに式（１）を保持し、アナログビーム＃ｍに対応する重みベクトルｗｍと、アナログビーム＃ｎに対応する重みベクトルｗｎとを内部メモリから読み出して、式（１）に代入することで、相関値ρＡ，ｍ，ｎを得る。或いは、スケジューリング部１０５は、例えば、任意の重みベクトルｗｍ，ｗｎの組み合わせに対応する相関値ρＡ，ｍ，ｎを予め内部メモリに保持しておき、本処理の際に、任意の重みベクトルの組み合わせ（ｍ，ｎ）に対応する相関値ρＡ，ｍ，ｎを内部メモリから読み出してもよい。
【０１０２】
図６に戻り、次に、基地局１００は、閾値ΓＡ，ｕを計算する（Ｓ１５２）。例えば、基地局１００は、以下の式（２）を用いて閾値ΓＡ，ｕを計算する。
【０１０３】
【数２】
2019118039.tif 000004
【０１０４】
式（２）において、ｗＮＵＥ，ｍは、例えば、アナログビーム＃ｍに対応する端末数ＮＵＥ，ｍで決定される係数を表す。アナログビーム＃ｍに対応する端末数ＮＵＥ，ｍは、例えば、アナログビーム＃ｍを利用する端末２００の数を表す。
【０１０５】
例えば、図７の例で、端末２００−１をアナログビーム＃２（＝アナログビーム＃ｍ）に対してスケジューリングを行い、端末２００−２を着目端末としているため、アナログビーム＃ｍに対応する端末数ＮＵＥ，ｍ＝２となる。
【０１０６】
図８（Ａ）は、係数ｗＮＵＥ，ｍの例を表している。係数ｗＮＵＥ，ｍは、例えば、端末数ＮＵＥ，ｍが少ないほど（又は「０」に近いほど）、小さくなり（又は「０」に近く）、端末ＮＵＥ，ｍが多いほど（又は最大値Ｇに近いほど）、大きくなる数値となるように設定される。或いは、スケジューリング部１０５は、係数ｗＮＵＥ，ｍ（又は閾値ΓＡ，ｕ）を、例えば、端末数ＮＵＥ，ｍが「０」に近いほど、「０」（又は「０．１」）に近く、端末数ＮＵＥ，ｍが最大値Ｇに近いほど、「１」に近い値に設定する。
【０１０７】
また、式（２）において、ｗＣＱＩｕは、例えば、着目端末２００−ｕにおいて、受信品質を表すインデックスＣＱＩｕで決定される係数を表す。図７の例では、着目端末２００−２のＣＱＩｕは、アナログビーム＃２（＝候補ビーム＝アナログビーム＃ｍ）に対するＣＱＩとなる。また、端末２００−３が着目端末となった場合、アナログビーム＃１（候補ビーム）のＣＱＩでもよいし、アナログビーム＃２（アナログビーム＃ｍ）のＣＱＩでもよい。
【０１０８】
図８（Ｂ）は、係数ｗＣＱＩｕの例を表している。係数ｗＣＱＩｕは、例えば、ＣＱＩｕが小さいほど、大きくなり、ＣＱＩｕが大きいほど、小さくなる数値となるように設定している。或いは、スケジューリング部１０５は、係数ｗＣＱＩｕ（又は閾値ΓＡ，ｕ）を、ＣＱＩが「０」に近いほど、「１」に近く、端末２００が要求した要求ＣＱＩ（ＣＱＩｒｅｑ）にＣＱＩが近いほど、「０」（又は「０．１」）に近い値に設定する。
【０１０９】
図８（Ａ）と図８（Ｂ）にそれぞれ示す係数ｗＮＵＥ，ｍ，ｗＣＱＩｕは、一例であって、上記のような大小関係であれば、それ以外の数値をとってもよい。
【０１１０】
さらに、式（２）において、ｐとｑは、例えば、それぞれ係数ｗＮＵＥ，ｍと係数ｗＣＱＩｕとに対する重み係数であり、ユーザによって任意の値に設定することが可能である。例えば、基地局１００は、ｐ，ｑのいずか一方を「０」にして、閾値ΓＡ，ｕとして、いずれかの係数ｗＮＵＥ，ｍ，ｗＣＱＩｕを用いるようにしてもよい。
【０１１１】
例えば、スケジューリング部１０５は、内部メモリに記憶された式（２）を読み出し、フィードバック情報から抽出したＣＱＩと、アナログビーム＃ｍに対して割り当てた端末数ＮＵＥ，ｍとを、式（２）に代入することで、閾値ΓＡ，ｕを計算する。
【０１１２】
このように、基地局１００は、閾値ΓＡ，ｕを、端末２００ごとに制御（又は変更）することが可能である。
【０１１３】
図６に戻り、次に、基地局１００は、相関値ρＡ，ｍ，ｎが閾値ΓＡ，ｕ以上か否かを判定する（Ｓ１５３）。そして、基地局１００は、相関値ρＡ，ｍ，ｎが閾値ΓＡ，ｕ以上のとき（Ｓ１５３でＹｅｓ）は、着目端末２００−ｕをスケジューリング対象とする。一方、基地局１００は、相関値ρＡ，ｍ，ｎが閾値ΓＡ，ｕよりも小さいとき（Ｓ１５３でＮｏ）、着目端末２００−ｕをスケジューリング対象としない。
【０１１４】
例えば、図７の例において、スケジューリング部１０５は、アナログビーム＃２（ｍ＝２）とアナログビーム＃２（ｎ＝２）との相関値ρＡ，ｍ，ｎが、閾値ΓＡ，Ｕ以上のとき（Ｓ１５３でＹｅｓ）、着目端末２００−２をスケジューリング対象の端末とする。一方、スケジューリング部１０５は、相関値ρＡ，２，１が、閾値ΓＡ，３より小さいとき（Ｓ１５３でＮｏ）、着目端末２００−２を、アナログビーム＃１のスケジューリング対象の端末とはしないようにする。
【０１１５】
図９（Ａ）は、相関値ρＡ，ｍ，ｎと、閾値ΓＡ，ｕとの関係例を表す図である。
【０１１６】
閾値ΓＡ，ｕは、式（２）で示すように、係数ｗＮＵＥ，ｍとｗＣＱＩｕとを含む。従って、閾値ΓＡ，ｕは、アナログビーム＃ｍに対応する端末数ＮＵＥ，ｍが少なければ少ないほど、また、アナログビーム＃ｍに対するＣＱＩｕが大きければ大きいほど、アナログビーム＃ｍとのなす角度θ１が大きくなるように推移する。
【０１１７】
一方、閾値ΓＡ，ｕは、アナログビーム＃ｍに対応する端末数ＮＵＥ，ｍが多ければ多いほど、また、アナログビーム＃ｍに対するインデックスＣＱＩｕが小さければ小さいほど、アナログビーム＃ｍとのなす角度θ１が小さくなるように推移する。
【０１１８】
すなわち、閾値ΓＡ，ｕは、例えば、アナログビーム＃ｍに対応する端末数ＮＵＥ，ｍが適切であり、アナログビーム＃ｍを利用しても通信品質も一定以上となる端末がスケジューリングされるように調整される。
【０１１９】
そして、基地局１００は、相関値ρＡ，ｍ，ｎがそのように調整された閾値ΓＡ，ｕ以上となるとき（Ｓ１５３でＹｅｓ）、着目端末２００−ｕを、アンテナビーム＃ｍのスケジューリング対象の端末として選択する。
【０１２０】
すなわち、図９（Ａ）に示すように、アナログビーム＃ｍを基準に、閾値ΓＡ，ｕとのなす角度θ１の範囲内に、アナログビーム＃ｍとアナログビーム＃ｎとのなす角度θがあるようにアナログビーム＃ｎが存在する場合がある。基地局１００は、このような場合、そのようなアナログビーム＃ｎを候補ビームとする着目端末２００−ｕを、スケジューリング対象の端末２００として選択する。
【０１２１】
この場合、アナログビーム＃ｎは、アナログビーム＃ｍに対して、閾値ΓＡ，ｕ以上、狭い範囲に存在する。そのため、アナログビーム＃ｎを候補ビームとする端末２００は、アナログビーム＃ｍを利用してデータが送信されても、端末数や通信品質が十分保証されたアナログビームとなる。
【０１２２】
一方、基地局１００は、相関値ρＡ，ｍ，ｎがそのように調整された閾値ΓＡ，ｕよりも小さいとき（Ｓ１５３でＮｏ）、着目端末２００−ｕを、アンテナビーム＃ｍのスケジューリング対象の端末として選択しない。
【０１２３】
すなわち、図９（Ａ）に示すように、アナログビーム＃ｍを基準に、閾値ΓＡ，ｕとのなす角度θ１の範囲を超えて、アナログビーム＃ｍとアナログビーム＃ｎとのなす角度θが存在する場合がある。
【０１２４】
この場合、アナログビーム＃ｎは、アナログビーム＃ｍに対して、閾値ΓＡ，ｕよりも離れた角度に存在する。そのため、アナログビーム＃ｎを候補ビームとする端末２００は、アナログビーム＃ｍを利用してデータが送信されても、端末数や通信品質が保証されていないアナログビームとなる。この場合は、基地局１００は、アナログビーム＃ｎを候補ビームとする着目端末２００−ｕを、アナログビーム＃ｍに対するスケジューリング対象とはしないようにしている。
【０１２５】
例えば、スケジューリング部１０５は、Ｓ１５１で計算した相関値ρＡ，ｍ，ｎが、Ｓ１５２で計算した閾値ΓＡ，ｕ以上となっているか否かにより、着目端末２００−ｕを、スケジューリング対象とするか否かを判定する（Ｓ１５３）。
【０１２６】
図５に戻り、基地局１００は、着目端末２００をスケジューリング対象としたとき（Ｓ１５でＹｅｓ）、着目端末２００の選択メトリックを計算する（Ｓ１６）。例えば、スケジューリング部１０５は、スケジューリング対象となった着目端末２００の選択メトリックを計算する。
【０１２７】
一方、基地局１００は、着目端末２００をスケジューリング対象としなかったとき（Ｓ１５でＮｏ）、着目端末２００の選択メトリックを計算することなく、Ｓ１７へ移行する。
【０１２８】
図７の例では、スケジューリング部１０５は、着目端末２００−２をスケジューリング対象の端末と判定し（Ｓ１５でＹｅｓ）、着目端末２００−２の選択メトリックを計算する（Ｓ１６）。
【０１２９】
スケジューリング部１０５は、ｇ＝２の場合において、端末２００−３〜２００−９について、第１の処理を行っていないため（Ｓ１７でＹｅｓ）、例えば、端末２００−３を着目端末としてＳ１３〜Ｓ１６の処理を行う。基地局１００では、例えば、以下の処理を行う。
【０１３０】
すなわち、スケジューリング部１０５は、例えば、端末２００−３を着目端末として、スケジューリング対象端末か否かを判定する（Ｓ１５）。この場合、スケジューリング部１０５は、ｍ＝２、ｎ＝１、ｕ＝３として、相関値ρＡ，２，１と、閾値ΓＡ，３とを計算し、両者を比較して判定する（Ｓ１５３）。この場合、スケジューリング部１０５は、例えば、相関値ρＡ，２，１の方が大きい（図６のＳ１５３でＹｅｓ）と判定する。そして、スケジューリング部１０５は、端末２００−３の選択メトリックを計算する。スケジューリング部１０５は、このような処理を繰り返し、着目端末２００に対して判定処理（Ｓ１５）を行う。そして、スケジューリング部１０５は、端末２００−２〜２００−９までＳ１３からＳ１６までの処理を行うと、Ｓ１７でＮｏと判定し、計算した選択メトリック値から端末２００を選択する（Ｓ１８）。この場合、スケジューリング部１０５は、ここでは、端末２００−４をスケジューリングする端末として選択する（Ｓ１８）。図１９（Ｂ）に示すように、ｇ＝２では、端末２００−４に対して無線リソースが割り当てられている。
【０１３１】
以降、基地局１００は、Ｇ＝４となるまで、Ｓ１２からＳ２０を繰り返す。そして、基地局１００は、周波数多重端末数ｇが最大値Ｇを超えたとき（Ｓ２０でＹｅｓ）、スケジューリングを終了する（Ｓ２１）。また、基地局１００は、周波数多重端末数ｇが最大値Ｇを超えない場合でも、１回で割り当て可能な無線リソース量を超えた場合（Ｓ１９でＮｏ）、スケジューリングを終了する（Ｓ２１）。
【０１３２】
図９（Ｂ）は、スケジューリングによる割り当て例を表す図である。アンテナビーム＃ｍに対して、４つの端末２００−１，２００−４，２００−６，２００−８が割り当てられている。この場合、例えば、基地局１００では、以下の処理を行う。
【０１３３】
すなわち、スケジューリング部１０５は、端末２００−１，２００−４，２００−６，２００−８宛のユーザデータを出力するようにユーザデータ生成部１０７に指示する。また、スケジューリング部１０５は、割り当て結果を示す重み付け値を、アナログＢＦ部１０２へ出力する。アナログＢＦ部１０２は、各端末２００−１，２００−４，２００−６，２００−８宛のデータを含む無線信号に対して、重み付け値に従って、重み付けを行い、アンテナ１０１−１〜１０１−ＮＡＮＴへ出力する。アンテナ１０１−１〜１０１−ＮＡＮＴからは、重み付けられた無線信号が送信されることで、アナログビーム＃２が形成され、各端末２００−１，２００−４，２００−６，２００−８へ、データを含む無線信号が送信される。
【０１３４】
ここで、基地局１００がｇ＝１に設定した後（Ｓ１２）、スケジューリング対象スロットがパターン（１）のとき（Ｓ１３でＮｏ）について説明する。
【０１３５】
図７の例では、ＳＳＢを含むスロットで形成されたアナログビームは、アナログビーム＃１〜＃５のうち、いずれかのアナログビーム＃１〜＃５となり得る。このようなアナログビームは、スケジューリング部１０５により予め決められたものである。ここでは、例えば、アナログビーム＃１を、ＳＳＢを含むスロットで形成されたアナログビームとする。この場合、スケジューリング部１０５は、アナログビーム＃１を、アナログビーム＃ａとし、このアナログビーム＃ａをアナログビーム＃ｍとして、判定処理（Ｓ１５）を行うことになる。例えば、端末２００−１を着目端末としたとき（Ｓ１２）、スケジューリング部１０５は、アナログビーム＃１（＝アナログビーム＃ａ＝アナログビーム＃ｍ）と、端末２００−１の候補ビームであるアナログビーム＃２（＝アナログビーム＃ｎ）とで相関値ρＡ，ｍ，ｎを計算し（Ｓ１５１）、また、閾値ΓＡ，ｕも計算し（Ｓ１５２）、その大小からスケジューリング対象か否かを判別する（Ｓ１５３）。また、端末２００−３を着目端末としたとき（Ｓ１２）、スケジューリング部１０５は、アナログビーム＃１（＝アナログビーム＃ａ＝アナログビーム＃ｍ）と、端末２０−３の候補ビームであるアナログビーム＃１（＝アナログビーム＃ｎ）とで相関値ρＡ，ｍ，ｎなどの計算を行う（Ｓ１５１，Ｓ１５２）。そして、スケジューリング部１０５は、端末２００−３がスケジューリング対象か否かを判定する（Ｓ１５３）。以降、スケジューリング部１０５は、他の未割り当て端末２００−４〜２００−９についても判定処理を行い、選択メトリック値に基づいて端末２００を選択することになる。
【０１３６】
スケジューリング対象スロットがパターン（１）となるかパターン（２）となるかに応じて、判定処理の対象となるアナログビーム＃ｍを、アナログビーム＃ａかアナログビーム＃ｂとして、スケジューリング部１０５は、判定処理（Ｓ１５）などを行うことになる。
【０１３７】
以上、説明したように、本第１の実施の形態では、基地局１００は、アナログビーム＃２に対して、端末２００−１だけではなく、端末２００−４，２００−６，２００−８を割り当てることが可能である。
【０１３８】
そのため、例えば、基地局１００が、アナログビーム＃２に対して、端末２００−１，２００−２だけを割り当てた場合と比較して、図９（Ｂ）に示すように、アナログビーム＃２の送信に利用される全周波数帯域に対して、端末２００の割り当てが可能となる。
【０１３９】
従って、本第１の実施の形態では、アナログビームに対する無線リソースが有効活用されるため、スループットの向上を図ることができる。
【０１４０】
また、本第１の実施の形態では、スロット単位で無線リソースの割り当てを行っている。一方、ミニスロット技術では、シンボル単位で無線リソースの割り当てを行っており、シンボル単位でＤＭＲＳが送信される。従って、本第１の実施の形態では、ミニスロットの場合と比較して、スロット単位で見るとＤＭＲＳの送信機会が少なくなるため、スループットの向上を図ることができる。
【０１４１】
［第２の実施の形態］
第２の実施の形態は、空間多重によりスケジューリングが行われる例である。
【０１４２】
図１０（Ａ）から図１０（Ｃ）は空間多重の例を表す図である。ＭＩＭＯでは、例えば、デジタルプリコーディングにより、１つストリームを１つのアンテナに割り当てて、複数のアンテナで同時に複数の端末２００と通信を行うことが可能である。空間多重可能な端末数（以下、「空間多重端末数」と称する場合がある。）をｋとすると、ｋ＝１のときは、基地局１００は、少なくとも１つのアンテナ１０１を用いて１つのデジタルビーム＃１を形成し、１つの端末２００−１と通信を行う。また、ｋ＝２のときは、基地局１００は、２つのアンテナ１０１−１，１０１−２で２つのデジタルビーム＃１，＃２を同時に形成し、２つの端末２００−１，２００−２と同時に通信が可能である。そして、基地局１００は、空間多重端末数ｋの最大値Ｋまで空間多重可能であるとき、Ｋ個のアンテナ１０１−１〜１０１−Ｋを利用してＫ個のデジタルビーム＃１〜＃Ｋを同時に形成し、Ｋ台の端末２００−１〜２００−Ｋと同時に無線通信が可能となる。空間多重端末数は、例えば、デジタルビーム＃１と同時に形成されるデジタルビームにより通信を行う端末数、と考えることも可能である。
【０１４３】
なお、これらのデジタルビーム＃１〜＃Ｋは、デジタルプリコーディングによりアンテナ１０１に形成されるビームとなっている。
【０１４４】
図１１は、本第２の実施の形態の動作例を表すフローチャートである。本動作例では、Ｓ３１からＳ４０までの処理により、基地局１００は、空間多重可能な端末として複数台（最大Ｋ台）の端末２００を選択する。他方、基地局１００は、第１の実施の形態（Ｓ１０からＳ２１）により、周波数多重可能な端末数として複数台（最大Ｇ台）の端末２００を選択する（Ｓ４５）。そして、基地局１００は、空間多重可能な端末として選択した端末２００の合計スループットと、周波数多重可能な端末として選択した端末２００の合計スループットとを計算し、スループット値が高い（又は大きい）方の選択結果を採用する（Ｓ４１）。
【０１４５】
なお、本動作例においても、基地局１００は、各端末２００から、候補ビーム情報とフィードバック情報とを取得し、各端末２００宛のユーザデータもノード装置から受信しているものとする。
【０１４６】
基地局１００は、処理を開始すると（Ｓ３０）、空間多重端末数ｋをｋ＝１に設定する（Ｓ３１）。例えば、スケジューリング部１０５は、空間多重端末数ｋをｋ＝１に設定する。この場合、スケジューリング部１０５は、例えば、アンテナ１０１−１〜１０１−ＮＡＮＴの数ＮＡＮＴと、端末２００の台数とに基づいて、空間多重端末数ｋの最大値Ｋを計算する。例えば、スケジューリング部１０５は、フィードバック情報の取得数を、最大値Ｋとしてもよい。
【０１４７】
次に、基地局１００は、未割り当て端末に着目し（Ｓ３２）、スケジューリング対象スロットがＳＳＢなどを含まないスロット（又はパターン（２）のスロット）か否かを判定する（Ｓ３３）。第２の実施の形態も、第１の実施の形態と同様に、基地局１００は、スケジューリング対象スロットはパターン（２）かパターン（１）かを判定する。以下では、図１３（Ａ）から図１３（Ｃ）の例で説明し、この場合、スケジューリング部１０５は、未割り当ての着目端末として、端末２００−１、スケジューリング対象スロットはパターン（２）であるとして以下説明する。スケジューリング対象スロットがパターン（１）の場合は、パターン（２）の説明の後で説明する。
【０１４８】
基地局１００は、スケジューリング対象スロットが、ＳＳＢを含まないスロットのとき（Ｓ３３でＹｅｓ）、ｋ＝１か否かを判定し（Ｓ３４）、ｋ＝１のときは（Ｓ３４でＹｅｓ）、選択メトリックを計算する（Ｓ３６）。
【０１４９】
図１３（Ａ）から図１３（Ｃ）は、ｋ＝１の場合のデジタルビームの例を表す図である。図１３（Ａ）から図１３（Ｃ）に示すように、基地局１００は、各端末２００−１〜２００−Ｋに対して、デジタルビーム＃１〜デジタルビーム＃Ｋをそれぞれ形成可能である。例えば、デジタルビーム＃１は、端末２００−１が基地局１００へフィードバックしたＰＭＩと対応するデジタルビームであり、デジタルビーム＃２は、端末２００−２がフィードバックしたＰＭＩと対応するデジタルビームである。
【０１５０】
図１３（Ａ）から図１３（Ｃ）の例では、スケジューリング部１０５は、ｋ＝１の場合、着目端末２００−１の選択メトリック値を計算する。選択メトリックは、第１の実施の形態と同様に、例えば、ＰＦ規範でもよいし、ラウンドロビン規範でもよい。
【０１５１】
次に、基地局１００は、Ｓ３３からＳ３６の処理を完了していない端末があるか否かを判定する（Ｓ３７）。Ｓ３３からＳ３６の処理を、以下では、「第２の処理」と称する場合がある。基地局１００は、ｋ＝１のとき、スケジューリング対象となっている全ての端末２００に対してＳ３２からＳ３６の処理が完了している場合、第２の処理を完了していると判定し（Ｓ３７でＮｏ）、そうでない場合は、第２の処理を完了していないと判定する（Ｓ３７でＹｅｓ）。
【０１５２】
図１３（Ａ）から図１３（Ｃ）の例では、スケジューリング部１０５は、端末２００−２〜２００−Ｋに対してＳ３２からＳ３６の処理が完了していないため、Ｓ３７でＹｅｓと判定する。この場合、基地局１００は、他の端末２００−２〜２００−Ｋの各々を、着目端末として、Ｓ３３からＳ３６の処理を行う。例えば、端末２００−２を着目端末とすると、スケジューリング部１０５は、対象スロットはパターン（２）で変更なく（Ｓ３３でＹｅｓ）、ｋ＝１も変更ないため（Ｓ３４でＹｅｓ）、端末２００−２の選択メトリック値を計算する（Ｓ３６）。以降、スケジューリング部１０５は、Ｓ３７までの処理を繰り返すことで、端末２００−１〜２００−Ｋの選択メトリック値を計算することになる。
【０１５３】
そして、基地局１００は、Ｓ３３からＳ３６の処理を完了していない端末がなくなると（Ｓ３７でＮｏ）、選択メトリック値に基づいて端末２００を選択する。例えば、スケジューリング部１０５は、端末２００−１を選択する。
【０１５４】
次に、基地局１００は、スケジューリング対象端末が存在すれば（Ｓ３９でＹｅｓ）、空間多重端末数ｋをインクリメントし、インクリメントしたｋが最大値Ｋよりも大きいか否かを判定する（Ｓ４０）。基地局１００は、ｋが最大値Ｋよりも大きくないとき（Ｓ４０でＮｏ）、Ｓ３２へ移行して、上述の処理を繰り返す。
【０１５５】
一方、基地局１００は、スケジューリング対象端末が存在しなければ（Ｓ３９でＮｏ）、空間多重端末数ｋが最大値Ｋを超えない場合でも、Ｓ４１へ移行する。
【０１５６】
以下では、ｋ＝２の例で説明する。基地局１００は、未割り当て端末２００として（Ｓ３２）、例えば、端末２００−２に着目する（Ｓ３２）。なお、ｋ＝２以降では、ｋ＝１とはならないため（Ｓ３４でＮｏ）、基地局１００は、着目端末２００に対して判定処理を行うことになる（Ｓ３５）。
【０１５７】
図１２は、着目端末２００がスケジューリング対象端末か否かを判定する判定処理（Ｓ３５）の例を表すフローチャートである。
【０１５８】
基地局１００は、最初に、着目端末２００について、第１の実施の形態での判定処理（Ｓ１５）を行う、すなわち、アナログビームのスケジューリング対象か否かを判定する（Ｓ３５０）。例えば、基地局１００では、以下の処理を行う。
【０１５９】
すなわち、スケジューリング部１０５は、ｋ＝１で選択した端末２００−１の候補ビームであるアナログビーム＃１（＝アナログビーム＃ｂ＝アナログビーム＃ｍ）に対して、着目端末２００−２に着目する。スケジューリング部１０５は、アナログビーム＃ｍと着目端末２００−２の候補ビームであるアナログビーム＃２（＝アナログビーム＃ｎ）とに対する相関値ρＡ，ｍ，ｎと、閾値ΓＡ，ｕとを計算し（Ｓ１５１，Ｓ１５２）、相関値ρＡ，ｍ，ｎが、閾値ΓＡ，ｕ以上か否かを判定する（Ｓ１５３）。スケジューリング部１０５は、相関値ρＡ，ｍ，ｎが、閾値ΓＡ，ｕ以上のとき、着目端末２００−２をスケジューリング対象端末として選択し（Ｓ３５０でＹｅｓ）、選択した端末２００−２に対してＳ３５１〜Ｓ３５３の処理を行う。一方、スケジューリング部１０５は、相関値ρＡ，ｍ，ｎが、閾値ΓＡ，ｕより小さいときは、着目端末２００−２をスケジューリング対象ではないと判定（Ｓ３５０でＮｏ）し、Ｓ３７へ移行する。
【０１６０】
言い換えると、スケジューリング部１５０は、Ｓ３５０において、例えば、以下の処理を行う。すなわち、スケジューリング部１０５は、相関値ρＡ，ｍ，ｎが閾値ΓＡ，ｕ以上のときに選択した端末２００の選択優先度を、選択優先度閾値以上の値とし、相関値ρＡ，ｍ，ｎが閾値ΓＡ，ｕよりも低いときの端末２００の選択優先度を、選択優先度閾値よりも低い値とする。そして、スケジューリング部１０５は、選択優先度が選択優先度閾値以上の端末２００に対して、Ｓ３５１以降の判定処理を行う。
【０１６１】
基地局１００は、着目端末２００−２をスケジューリング対象端末と判定したとき（Ｓ３５０でＹｅｓ）、相関値ρＤ，ｍ、ｎを計算する（Ｓ３５１）。例えば、スケジューリング部１０５は、以下の式を用いて相関値ρＤ，ｍ、ｎを計算する。
【０１６２】
【数３】
2019118039.tif 000005
【０１６３】
式（３）において、ｖｍは、例えば、デジタルプリコーディング部１０８で適用されるデジタルビーム＃ｍの重みベクトルである。また、ｖｎは、デジタルプリコーディング部１０８で適用されるデジタルビーム＃ｎの重みベクトルである。
【０１６４】
本第２の実施の形態では、デジタルビーム＃ｍは、例えば、ｇ＝１において、スケジューリング対象端末として選択された端末２００がフィードバックしたＰＭＩと対応するデジタルビームである。一方、デジタルビーム＃ｎは、例えば、未割り当ての端末２００（又は着目端末２００）がフィードバックしたＰＭＩと対応するデジタルビームである。
【０１６５】
図１４（Ａ）は、ｋ＝２の場合で、デジタルビーム＃１をデジタルビーム＃ｍとしたときの、デジタルビーム＃ｎの例を表す図である。図１４（Ａ）の例では、デジタルビーム＃１は、スケジューリング対象端末として選択された端末２００−１が、フィードバックしたＰＭＩと対応するデジタルビームであり、デジタルビーム＃ｍとなる。他方、未割り当ての端末２００−２（着目端末２００−２）がフィードバックしたＰＭＩと対応するデジタルビーム＃２は、デジタルビーム＃ｎとなり得る。
【０１６６】
以下では、端末２００がフィードバックしたＰＭＩと対応するデジタルビームを、「端末２００と対応するデジタルビーム」、そのようなデジタルビームを持つ端末２００を、「デジタルビームに対応する端末２００」と、それぞれ称する場合がある。
【０１６７】
なお、図１４（Ａ）では、デジタルビーム＃ｎの例として、デジタルビーム＃２を示しているが、デジタルビーム＃２からデジタルビーム＃Ｋまでの複数個のデジタルビーム＃ｎが存在する。
【０１６８】
例えば、スケジューリング部１０５は、デジタルビーム＃ｍ（デジタルビーム＃１）に対して、各デジタルビーム＃ｎ（デジタルビーム＃２〜デジタルビーム＃Ｋ）との相関値ρＤ，ｍ、ｎを、式（３）を利用して計算する。式（３）は、例えば、スケジューリング部１０５の内部メモリなどに保持されており、適宜式（３）を読み出して、計算すればよい。或いは、スケジューリング部１０５は、例えば、任意の組み合わせ（ｍ，ｎ）に対する相関値ρＤ，ｍ、ｎを、内部メモリに記憶しておき、処理の際に読み出すようにしてもよい。
【０１６９】
式（３）も式（１）と同様に、右辺の分子の第２項は、重みベクトルｖｎのエルミート転置行列を表しており、重みベクトルｖｎそのものとして表すことができる。従って、式（３）の右辺は、内積の計算を行うことで、｜ｃｏｓθ２｜２となる。ここで、θ２は、例えば、２つの重みベクトルｖｍ，ｖｎによりなす角度を表している。なお、２つの重みベクトルｖｍ，ｖｎを、複素ベクトルを用いて表現してもよい。
【０１７０】
図１２に戻り、次に、基地局１００は、閾値ΓＤ，ｕを計算する（Ｓ３５２）。例えば、基地局１００は、以下の式を用いて閾値ΓＤ，ｕを計算する。
【０１７１】
【数４】
2019118039.tif 000006
【０１７２】
式（４）において、ｗｋは、例えば、空間多重端末数ｋで決定される係数を表す。図１５（Ａ）は、係数ｗｋの例を表す図である。係数ｗｋは、空間多重端末数ｋが小さいほど、大きくなり、空間多重端末数ｋが大きいほど、小さくなる数値となるように設定される。或いは、スケジューリング部１０５は、係数ｗｋ（又は閾値ΓＡ，ｕ）を、空間多重端末数ｋが「１」に近いほど、係数ｗｋを「１」に近い値に設定し、空間多重端末数ｋが最大値Ｋに近いほど、係数ｗｋを「０」に近い値に設定する。
【０１７３】
また、式（４）において、ｗＤＳｕは、例えば、着目端末２００−ｕの遅延スプレッドを表すインデックス（以下、「遅延スプレッド」と称する場合がある。）ＤＳｕで決定される係数を表す。図１５（Ｂ）は、係数ｗＤＳｕの例を表す図である。係数ｗＤＳｕは、遅延スプレッドＤＳｕが小さいほど、大きくなり、遅延スプレッドＤＳｕが大きいほど、小さくなる数値となるように設定される。或いは、スケジューリング部１０５は、遅延スプレッドＤＳｕが「０」に近いほど、係数ｗＤＳｕ（又は閾値ΓＤ，ｕ）を「１」に近い値に設定し、遅延スプレッドＤＳｕが最大値に近いほど、係数ｗＤＳｕを「０」に近い値に設定する。
【０１７４】
さらに、式（４）において、ｒとｓは、ユーザにより設定可能な数値であって、第１の実施の形態のｐ，ｑと同様に、いずれか一方を「０」にすることで、基地局１００は、係数ｗｋ，ｗＤＳｕの一方を用いて、閾値ΓＤ，ｕを計算することが可能である。
【０１７５】
なお、スケジューリング部１０５は、例えば、フィードバック情報に基づいて、遅延スプレッドＤＳｕを計算することが可能である。例えば、スケジューリング部１０５は、取得したＣＱＩから受信電力値を求め、特定の算出式に代入することで、遅延スプレッドＤＳｕを算出する。
【０１７６】
このように、基地局１００は、閾値ΓＤ，ｕを、端末２００ごとに制御（又は変更）することが可能である。
【０１７７】
図１２に戻り、次に、基地局１００は、すべてのデジタルビーム＃ｍに対して、相関値ρＤ，ｍ、ｎが、閾値ΓＤ，ｕ以下となるか否かを判定する（Ｓ３５３）。そして、基地局１００は、すべてのデジタルビーム＃ｍに対して、相関値ρＤ，ｍ、ｎが、閾値ΓＤ，ｕ以下となるとき（相関値ρＤ，ｍ、ｎ≦閾値ΓＤ，ｕのとき）（Ｓ３５３でＹｅｓ）、着目端末２００−ｕを、スケジューリング対象の端末２００とする。一方、基地局１００は、いずれかのデジタルビーム＃ｍに対して、相関値ρＤ，ｍ、ｎが、閾値ΓＤ，ｕよりも大きいとき（相関値ρＤ，ｍ、ｎ＞閾値ΓＤ，ｕのとき）（Ｓ３５でＮｏ）、着目端末２００−ｕをスケジューリング対象の端末２００としない。
【０１７８】
図１６は、デジタルビーム＃ｍ，＃ｎと閾値ΓＤ，ｕとの関係例を表す図である。
【０１７９】
例えば、閾値ΓＤ，ｕは、遅延スプレッドＤＳｕが小さく、空間多重端末数ｋが少ないとき、デジタルビーム＃ｍと閾値ΓＤ，ｕとのなす角度θ３は、除々に小さくなり、その逆のときは、なす角度θ３は、除々に大きくなる。
【０１８０】
スケジューリング部１０５は、基地局１００は、相関値ρＤ，ｍ、ｎが、閾値ΓＤ，ｕ以下となるとき、着目端末２００−ｕを、スケジューリング対象の端末２００として選択する。
【０１８１】
すなわち、図１６に示すように、デジタルビーム＃ｍを基準にして、デジタルビーム＃ｎが閾値以上、離れた角度θ２となっているときに、スケジューリング部１０５は、デジタルビーム＃ｎに対応する着目端末２００−ｕを、スケジューリング対象の端末２００として選択する。この場合、スケジューリング部１０５は、例えば、遅延スプレッドＤＳｕも適切で、空間多重端末数ｋも適切なデジタルビーム＃ｎを、デジタルビーム＃ｍと空間多重することが可能となる。
【０１８２】
一方、基地局１００は、相関値ρＤ，ｍ、ｎが、閾値ΓＤ，ｕよりも大きいとき、すなわち、デジタルビーム＃ｍを基準に、閾値ΓＤ，ｕよりも狭い角度の範囲内に、デジタルビーム＃ｎが存在するときは、デジタルビーム＃ｎに対応する着目端末２００−ｕを、スケジューリング対象としない。
【０１８３】
このとき、遅延スプレッドＤＳｕも適切ではなく、空間多重端末数ｋも適切ではないほど、デジタルビーム＃ｍと近接した角度範囲にデジタルビーム＃ｎに対応する着目端末２００−ｕが存在する。このような場合は、例えば、スケジューリング部１０５では、着目端末２００−ｕを、選択しないことで、デジタルビーム＃ｎをデジタルビーム＃ｍと空間多重させないようにしている。
【０１８４】
図１２に戻り、例えば、スケジューリング部１０５は、Ｓ３５１で計算した相関値ρＤ，ｍ，ｎが、Ｓ３５２で計算した閾値ΓＤ，ｕ以下のとき、着目端末２００−ｕをスケジューリング対象とする（Ｓ３５３でＹｅｓ）。一方、例えば、スケジューリング部１０５は、そうでないときは（Ｓ３５３でＮｏ）、着目端末２００−ｕをスケジューリング対象としない。
【０１８５】
図１１に戻り、基地局１００は、スケジューリング対象とした端末２００に対しては、選択メトリック値を計算し（Ｓ３８）、未割り当て端末２００がなくなるまでＳ３２からＳ３６までの処理を繰り返す（Ｓ３７でＮｏ）。一方、基地局１００は、スケジューリング対象としない端末２００に対して、選択メトリック値を計算することなく、未割り当て端末２００がなくなるまで処理を繰り返す（Ｓ３７でＮｏ）。
【０１８６】
基地局１００は、未割り当て端末２００がなくなると（Ｓ３７でＮｏ）、選択メトリック値に基づいて端末２００を選択する（Ｓ３８）。例えば、図１４（Ａ）に示すように、基地局１００は、ｋ＝２として、デジタルビーム＃２に対応する端末２００−２をスケジューリング対象とする。
【０１８７】
以降、基地局１００は、空間多重端末数ｋをインクリメントして、Ｓ３２からＳ４０までの処理を繰り返す。なお、図１４（Ｂ）は、ｋ＝３の場合に、スケジューリング対象として端末２００−３が選択された場合の例を表す図である。
【０１８８】
図１１に戻り、基地局１００は、空間多重端末数ｋが最大値Ｋを超えるか（Ｓ４０でＹｅｓ）、又は、スケジューリング対象端末がなくなるとき（Ｓ３９でＹｅｓ）、全体スループットを計算し、スループットを比較する。例えば、基地局１００は、以下の処理を行う。
【０１８９】
すなわち、スケジューリング部１０５は、Ｓ３８で選択した端末２００の全スループットを計算する。スループットは、選択メトリック値（Ｓ３６）を利用してもよい。また、スケジューリング部１０５は、Ｓ１０からＳ２１を実行することで、選択した周波数多重対象端末２００（Ｓ１８）の全スループットを計算する。この場合も、スループットは、選択メトリック値（Ｓ１６）を用いてもよい。そして、スケジューリング部１０５は、全スループットの大きい方（周波数多重で選択した端末２００か、空間多重で選択した端末２００）を選択する。
【０１９０】
スケジューリング部１０５は、周波数多重の方を選択した場合、アナログＢＦ部１０２に対して、重み付け値を出力して、アナログＢＦを行う。
【０１９１】
一方、スケジューリング部１０５は、空間多重の方を選択した場合、デジタルプリコーディング部１０８に対して、重み付けの結果を表すＰＭＩを出力する。図１４（Ｂ）の例では、スケジューリング部１０５は、アンテナ１０１−１に対してデジタルビーム＃１、アンテナ１０１−２に対してデジタルビーム＃２などを表すＰＭＩを出力する。この場合、スケジューリング部１０５は、例えば、第１の実施の形態と同様に、アナログビーム＃ｍを示す重み付け値を、アナログＢＦ部１０２へ出力する。基地局１００では、アナログＢＦとデジタルプリコーディングにより、ハイブリッドＢＦが可能となる。
【０１９２】
そして、基地局１００は、一連の処理を終了する（Ｓ４２）。
【０１９３】
ここで、基地局１００が、ｋ＝１に設定し（Ｓ３１）、着目端末２００−１に着目し、スケジューリング対象スロットがパターン（１）の場合（Ｓ３３でＮｏ）について説明する。
【０１９４】
この場合でも、基地局１００は、Ｓ３３でＮｏと判定し、着目端末２００−１がスケジューリング端末か否かを判定する（Ｓ３５）。基地局１００は、例えば、以下の処理を行う。
【０１９５】
すなわち、スケジューリング部１０５は、ＳＳＢを含むスロットで形成されたアナログビームをアナログビーム＃ａ＝アナログビーム＃ｍとし、着目端末２００−１の候補ビームであるアナログビームをアナログビーム＃ｎとして、Ｓ３５０を行えばよい。スケジューリング部１０５は、アナログビーム＃ｍと着目端末２００−１に対応するアナログビーム＃ｎとに対する相関値ρＡ，ｍ，ｎと、閾値ΓＡ，ｕとを計算し（Ｓ１５１，Ｓ１５２）、相関値ρＡ，ｍ，ｎが、閾値ΓＡ，ｕ以上か否かを判定する（Ｓ１５３）。スケジューリング部１０５は、相関値ρＡ，ｍ，ｎが、閾値ΓＡ，ｕ以上のとき、着目端末２００−１をスケジューリング対象端末として選択し（Ｓ３５０でＹｅｓ）、選択した端末２００−１に対してＳ３５１〜Ｓ３５３の処理を行う。一方、スケジューリング部１０５は、相関値ρＡ，ｍ，ｎが、閾値ΓＡ，ｕより小さいときは、着目端末２００−１をスケジューリング対象ではないと判定（Ｓ３５０でＮｏ）し、Ｓ３７へ移行する。そして、スケジューリング部１０５は、ｋ＝１の場合、他の未割り当て端末２００−２〜２００−Ｋの各々に着目して、アナログビーム＃ａ＝アナログビーム＃ｍと、候補ビームであるアナログビーム＃ｎとで相関値ρＡ，ｍ，ｎなどを計算する（Ｓ１５１，Ｓ１５２）。スケジューリング部１０５は、Ｓ３５０でＹｅｓと判定した端末２００−２〜２００−Ｋに対して、相関値ρＤ，ｍ，ｎと、閾値ΓＤ，ｕとを計算し（Ｓ３５１，Ｓ３５２）、スケジューリング対象か否かを判定する（Ｓ３５３）。
【０１９６】
このように、本第２の実施の形態においても、基地局１００は、フィードバック情報と、デジタルビーム＃ｍに対するデジタルビーム＃ｎの相関値とに基づいて、端末２００を、デジタルビーム＃ｍと同時にデジタルビーム＃ｎで通信を行う端末として選択する。これにより、例えば、デジタルビーム＃ｍと空間多重するデジタルビーム＃ｎが適切な数となり、その数が閾値以下となる場合と比較して、スループットの向上を図ることができる。
【０１９７】
なお、第２の実施の形態において、閾値ΓＤ，ｕの計算に利用する数値として、遅延スプレッドＤＳｕを例にして説明した。例えば、第１の実施の形態と同様に、ＣＱＩｕを利用してもよい。閾値ΓＤ，ｕの計算に利用する数値は、例えば、フィードバック情報に含まれる数値などから計算可能なものであってもよい。
【０１９８】
［第３の実施の形態］
第１の実施の形態では、基地局１００は、式（２）を用いて閾値ΓＡ，ｕを計算した。また、第２の実施の形態では、基地局１００は、式（４）を用いて、閾値ΓＤ，ｕを計算した。本第３の実施の形態では、閾値ΓＡ，ｕ，ΓＤ，ｕの計算にアンテナ構成情報を追加する例について説明する。
【０１９９】
基地局１００は、式（２）に代えて、以下の式（５）を用いて、閾値ΓＡ，ｕを計算してもよい。
【０２００】
【数５】
2019118039.tif 000007
【０２０１】
ｗａｎｔは、例えば、スケジューリング対象スロットにおいて適用されるアナログビーム＃ｍを形成するために利用されるアンテナのアンテナ構成情報で決定される係数である。アンテナ構成情報は、例えば、アンテナ１０１−１〜１０１−ＮＡＮＴに関する情報である。アンテナ１０１−１〜１０１−ＮＡＮＴに関する情報としては、例えば、アンテナ数や各アンテナの間隔、又はこれらの組み合わせなどがある。アンテナ数とアンテナの間隔とを組み合わせてアンテナ構成情報とする場合は、例えば、アンテナ数を表す数値とアンテナの間隔を表す数値の２つの数値を丸めた数値を用いてもよい。
【０２０２】
図１７は、係数ｗａｎｔの例を表す図である。図１７では、アンテナ構成情報としてアンテナ数を用いた例を表している。アンテナ数Ｎａｎｔが多いほど、係数ｗａｎｔも大きくなり、アンテナ数Ｎａｎｔが小さいほど、係数ｗａｎｔは小さくなる。
【０２０３】
第１の実施の形態と同様に、基地局１００は、式（５）を用いて、相関値ρＡ，ｍ，ｎ≧閾値ΓＡ，ｕのときは着目端末２００−ｕをスケジューリング対象にし、そうでないときは、着目端末２００−ｕをスケジューリング対象としないようにする（図６のＳ１５３）。
【０２０４】
なお、ｔは、例えば、係数ｗａｎｔの重み係数であり、ｐ、ｑと同様に、ユーザにより任意の値を設定することができる。
【０２０５】
また、基地局１００は、式（４）に代えて、以下の式（６）を用いて、閾値ΓＤ，ｕを計算してもよい。
【０２０６】
【数６】
2019118039.tif 000008
【０２０７】
この場合も、第２の実施の形態と同様に、基地局１００は、式（６）を用いて、相関値ρＤ，ｍ，ｎ≦閾値ΓＤ，ｕのとき、着目端末２００−ｕをスケジューリング対象にし、そうでないときは、着目端末２００−ｕをスケジューリング対象としないようにする（図１２のＳ３５３）。
【０２０８】
２つの閾値ΓＡ，ｕ，ΓＤ，ｕは、第１及び第２の実施の形態と同様に、対象となる端末２００ごとに、変更（又は制御）可能である（Ｓ１５２，Ｓ３５２）。
【０２０９】
なお、ｘは、例えば、係数ｗａｎｔの重み係数であり、ユーザにより任意の値が設定可能である。
【０２１０】
このように、本第３の実施の形態では、閾値ΓＡ，ｕ，ΓＤ，ｕについて、更に、アンテナ構成情報を要素として含めているため、アンテナ１０１−１〜１０１−ＮＡＮＴの数やアンテナ１０１−１〜１０１−ＮＡＮＴの間隔に応じて、適切な閾値ΓＡ，ｕ，ΓＤ，ｕを端末２００ごとに設定可能となる。
【０２１１】
［その他の実施の形態］
図１８は、無線通信システム１０の構成例を表す図である。
【０２１２】
無線通信システム１０は、基地局装置１００と端末装置２００を備える。基地局装置１００は、複数のアンテナ１０１−１〜１０１−ＮＡＮＴとスケジューリング部１０５とを備える。
【０２１３】
複数のアンテナ１０１−１〜１０１−ＮＡＮＴは、第１及び第２の無線信号を端末装置２００へ送信し、第１及び第２のビームをそれぞれ形成する。また、複数のアンテナ１０１−１〜１０１−ＮＡＮＴは、第２の無線信号に対する端末装置２００のフィードバック情報を含む第３の無線信号を端末装置２００から受信する。
【０２１４】
スケジューリング部１０５は、フィードバック情報と、第１のビームと第２のビームとの相関値とに基づいて、第２のビームを最適とする端末装置２００を第１のビームで通信を行う端末として選択する。また、スケジューリング部１０５は、フィードバック情報と相関値とに基づいて、端末装置２００を第１のビームと同時に第２のビームで通信を行う端末装置として選択する。
【０２１５】
複数のアンテナ１０１−１〜１０１−ＮＡＮＴは、データを含む第４の無線信号を端末装置２００へ送信し、第１又は第２のビームを形成する。
【０２１６】
このように、基地局装置１００は、第２のビームを最適とする端末装置２００に対して、第１のビームで通信を行う端末装置として選択することで、第１のビームを用いて通信を行う端末装置を適切に増やすことができる。そのため、第１のビームを最適とする端末装置だけで通信を行う場合と比較して、基地局装置１００では、それ以外の端末装置２００も第１のビームを用いて基地局装置１００と通信が可能となり、スループットを向上させることが可能となる。
【０２１７】
また、基地局装置１００は、端末装置２００を第１のビームと同時に第２のビームで通信を行う端末装置として選択することで、空間多重数も適切に増やすことができる。そのため、第１のビームだけで通信を行う場合と比較して、基地局装置１００は、第１のビームと同時に通信を行う端末装置２００の数を増やすことができ、スループットを向上させることが可能となる。
【０２１８】
以上まとめると付記のようになる。
【０２１９】
（付記１）
第１及び第２の無線信号を端末装置へ送信して第１及び第２のビームをそれぞれ形成し、前記第２の無線信号に対する前記端末装置のフィードバック情報を含む第３の無線信号を前記端末装置から受信する複数のアンテナと、
前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択するスケジューリング部とを備え、
前記複数のアンテナは、データを含む第４の無線信号を前記端末装置へ送信し、前記第１又は第２のビームを形成することを特徴とする基地局装置。
【０２２０】
（付記２）
前記スケジューリング部は、前記フィードバック情報と前記第１のビームで通信を行う端末装置の数とに基づいて、第１の閾値を計算し、前記第１の閾値と前記相関値とに基づいて、前記端末装置を前記第１のビームで通信を行う端末装置として選択することを特徴とする付記１記載の基地局装置。
【０２２１】
（付記３）
前記スケジューリング部は、前記相関値が前記第１の閾値以上のとき、前記端末装置を前記第１のビームで通信を行う端末装置として選択することを特徴とする付記２記載の基地局装置。
【０２２２】
（付記４）
前記スケジューリング部は、前記第１のビームで通信を行う端末装置の数が「０」に近いほど、前記第１の閾値を「０」に近い値に設定し、前記第１のビームで通信を行う端末装置の数が最大値に近いほど、前記第１の閾値を「１」に近い値に設定することを特徴とする付記３記載の基地局装置。
【０２２３】
（付記５）
前記フィードバック情報は、前記端末装置の受信品質であって、
前記スケジューリング部は、前記受信品質が「０」に近いほど、前記第１の閾値を「１」に近い値に設定し、前記端末装置が要求した要求品質に前記受信品質が近いほど、前記第１の閾値を「０」に近い値に設定することを特徴とする付記３記載の基地局装置。
【０２２４】
（付記６）
更に、前記第１及び第２の無線信号に対して位相を制御するアナログビームフォーミング部を備え、
前記スケジューリング部は、前記第１のビームを形成する際に前記アナログビームフォーミング部へ出力し、前記第１の無線信号に適用する第１の重みベクトルと、前記第２のビームを形成する際に前記アナログビームフォーミング部へ出力し、前記第２の無線信号に適用する第２の重みベクトルとに基づいて、前記相関値を計算し、前記相関値に基づいて、前記端末装置を前記第１のビームで通信を行う端末装置として選択することを特徴とする付記１記載の基地局装置。
【０２２５】
（付記７）
前記スケジューリング部は、以下の式（７）を内部メモリから読み出して、前記第１の重みベクトルｗｍと前記第２の重みベクトルｗｎとを式（７）に代入することで、前記相関値ρＡ，ｍ，ｎとを計算することを特徴する付記６記載の基地局装置。
【０２２６】
【数７】
2019118039.tif 000009
【０２２７】
（付記８）
更に、前記第１及び第２の無線信号に対して位相を制御するアナログビームフォーミング部を備え、
前記第１及び第２のビームは、前記アナログビームフォーミング部により位相制御された前記第１及び第２の無線信号により形成されるアナログビームであることを特徴とする付記１記載の基地局装置。
【０２２８】
（付記９）
前記受信品質は、ＣＱＩであることを特徴とする付記５記載の基地局装置。
【０２２９】
（付記１０）
前記複数のアンテナは、前記第２の無線信号に対する前記端末装置のフィードバック情報に代えて、前記第１の無線信号に対する前記端末装置のフィードバック情報を受信し、
前記スケジューリング部は、受信した前記フィードバック情報と、前記相関値とに基づいて、前記端末装置を前記第１のビームで通信を行う端末装置として選択することを特徴とする付記１記載の基地局装置。
【０２３０】
（付記１１）
前記スケジューリング部は、前記フィードバック情報と、前記第１のビームと同時に前記複数のアンテナで形成されるビームで通信を行う端末装置の数とに基づいて、第２の閾値を計算し、前記第２の閾値と前記相関値とに基づいて、前記端末装置を前記第１のビームと同時に前記第２のビームで通信を行う端末装置として選択することを特徴とする付記１記載の基地局装置。
【０２３１】
（付記１２）
前記スケジューリング部は、前記相関値が前記第１の閾値以上のときに選択した前記端末装置の選択優先度を、選択優先度閾値以上の値とし、前記相関値が前記第１の閾値よりも低いときの前記端末装置の選択優先度を、選択優先度閾値よりも低い値とし、前記選択優先度が選択優先度閾値以上の前記端末装置に対して、前記フィードバック情報と、前記第１のビームと同時に前記複数のアンテナで形成されるビームで通信を行う端末数とに基づいて、第２の閾値を計算し、前記第２の閾値と前記相関値とに基づいて、前記端末装置を前記第１のビームと同時に前記第２のビームで通信を行う端末装置として選択することを特徴とする付記２記載の基地局装置。
【０２３２】
（付記１３）
前記スケジューリング部は、前記相関値が前記第２の閾値以下のとき、前記端末装置を前記第１のビームと同時に前記第２のビームで通信を行う端末装置として選択することを特徴とする付記１１記載の基地局装置。
【０２３３】
（付記１４）
前記スケジューリング部は、前記端末装置の数が「１」に近いほど、前記第２の閾値を「１」に近い値に設定し、前記端末装置の数が最大値に近いほど、前記第２の閾値を「０」に近い値に設定することを特徴とする付記１１記載の基地局装置。
【０２３４】
（付記１５）
前記フィードバック情報は、前記端末装置の受信品質であって、
前記スケジューリング部は、前記受信品質が「０」に近いほど、前記第２の閾値を「１」に近い値に設定し、前記受信品質が最大値に近いほど、前記第２の閾値を「０」に近い値に設定することを特徴とする付記１１記載の基地局装置。
【０２３５】
（付記１６）
更に、前記第１の無線信号で送信する第１のデータと前記第２の無線信号で送信する第２のデータとに対して位相を制御するデジタルプリコーディング部を備え、
前記スケジューリング部は、前記第１のビームを形成する際に前記デジタルプリコーディング部へ出力し、前記第１のデータに対して適用する第３の重みベクトルと、前記第２のビームを形成する際に前記デジタルプリコーディング部へ出力し、前記第２のデータに適用する第４の重みベクトルとに基づいて、前記相関値を計算し、前記相関値に基づいて、前記端末装置を前記第１のビームと同時に前記第２のビームで通信を行う端末装置として選択することを特徴とする付記１記載の基地局装置。
【０２３６】
（付記１７）
前記スケジューリング部は、以下の式（８）を内部メモリから読み出して、前記第３の重みベクトルｖｍと前記第４の重みベクトルｖｎとを式（８）に代入することで、前記相関値ρＤ，ｍ，ｎを計算することを特徴する付記１６記載の基地局装置。
【０２３７】
【数８】
2019118039.tif 000010
【０２３８】
（付記１８）
更に、前記第１の無線信号で送信する第１のデータと前記第２の無線信号で送信する第２のデータとに対して位相を制御するデジタルプリコーディング部を備え、
前記第１及び第２のビームは、前記デジタルプリコーディング部により位相制御された前記第１及び第２のデータにより形成されるデジタルビームであることを特徴とする付記１記載の基地局装置。
【０２３９】
（付記１９）
前記スケジューリング部は、前記フィードバック情報、前記第１のビームで通信を行う端末装置の数、及び前記複数のアンテナに関する情報に基づいて、前記第１の閾値を計算する付記２記載の基地局装置。
【０２４０】
（付記２０）
前記スケジューリング部は、前記フィードバック情報、前記第１のビームと同時に前記複数のアンテナで形成されるビームで通信を行う端末装置の数、及び前記複数のアンテナに関する情報に基づいて、前記第２の閾値を計算する付記１１記載の基地局装置。
【０２４１】
（付記２１）
前記複数のアンテナに関する情報は、前記複数のアンテナの数、又は前記複数のアンテナにおける各アンテナの間隔であることを特徴とする付記１９又は２０記載の基地局装置。
【０２４２】
（付記２２）
複数のアンテナとスケジューリング部とを備えた基地局装置におけるスケジューリング方法であって、
前記複数のアンテナにより、第１及び第２の無線信号を端末装置へ送信して第１及び第２のビームをそれぞれ形成し、前記第２の無線信号に対する前記端末装置のフィードバック情報を含む第３の無線信号を前記端末装置から受信し、
前記スケジューリング部により、前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択し、
前記複数のアンテナにより、データを含む第４の無線信号を前記端末装置へ送信し、前記第１又は第２のビームを形成する
ことを特徴とするスケジューリング方法。
【０２４３】
（付記２３）
基地局装置と、
端末装置とを備えた無線通信システムであって、
前記基地局装置は、
第１及び第２の無線信号を前記端末装置へ送信して第１及び第２のビームをそれぞれ形成し、前記第２の無線信号に対する前記端末装置のフィードバック情報を含む第３の無線信号を前記端末装置から受信する複数のアンテナと、
前記フィードバック情報と、前記第１のビームと前記第２のビームとの相関値とに基づいて、前記第２のビームを最適とする前記端末装置を前記第１のビームで通信を行う端末装置、又は前記端末装置を前記第１のビームと同時に前記第２のビームで通信を行う端末装置、として選択するスケジューリング部とを備え、
前記複数のアンテナは、データを含む第４の無線信号を前記端末装置へ送信し、前記第１又は第２のビームを形成し、
前記端末装置は、前記第４の無線信号を受信することを特徴とする無線通信システム。
【符号の説明】
【０２４４】
１０：無線通信システム              １００：基地局装置
１０１−１〜１０１−ＮＡＮＴ：アンテナ
１０２：アナログＢＦ部              １０３−１〜１０３−ＮＲＦ：ＲＦ部
１０４：チャネル推定部              １０５：スケジューリング部
１０７：ユーザデータ生成部          １０８：デジタルプリコーディング部
１０９：参照信号生成部              １１０：チャネル多重部
１１１−１〜１１１−ＮＲＦ：ＲＦ部
２００（２００−１〜２００−ＮＵＥ）：端末装置
２０１：アンテナ                    ２０３：チャネル推定部
２０４：フィードバック信号生成部
【図１】
2019118039.tif 000011
【図２】
2019118039.tif 000012
【図３】
2019118039.tif 000013
【図４】
2019118039.tif 000014
【図５】
2019118039.tif 000015
【図６】
2019118039.tif 000016
【図７】
2019118039.tif 000017
【図８】
2019118039.tif 000018
【図９】
2019118039.tif 000019
【図１０】
2019118039.tif 000020
【図１１】
2019118039.tif 000021
【図１２】
2019118039.tif 000022
【図１３】
2019118039.tif 000023
【図１４】
2019118039.tif 000024
【図１５】
2019118039.tif 000025
【図１６】
2019118039.tif 000026
【図１７】
2019118039.tif 000027
【図１８】
2019118039.tif 000028